(57)【要約】 【課題】メーカまたはソフトウェアバージョンが異なる場合でもデータ回線終端装置でデータ端末装置に対応する応答内容および応答タイミングとすることができるようにしたデータ通信装置を提供する。【解決手段】通常の通信モードによる運転に先立って、データ端末装置１から設定モードで送信されたＡＴコマンドを受信したとき、データ回線終端装置７の登録手段はＡＴコマンドの判別設定情報ｎを記憶手段１６内に書き込み、予め記憶手段１６内に記憶している複数のデータの中からこの判別設定情報ｎに対応する応答内容および応答タイミングを抽出して登録し、その後、通信モードでデータ端末装置１から送信したＡＴコマンドを受信したとき、データ回線終端装置７の応答手段は、先に登録した応答内容および応答タイミングを用いてデータ端末装置１との間で通信を行う。【選択図】図１
2008258712.tif 000002
【特許請求の範囲】
【請求項１】
データ端末装置と、このデータ端末装置からのＡＴコマンドに対して所定の応答内容および応答タイミングを用いて通信を行うデータ回線終端装置間とを有して構成したデータ通信装置において、前記データ回線終端装置に、予め複数の前記データ端末装置に対応する判別設定情報と、これら各設定情報にそれぞれ対応する複数の応答内容および応答タイミングとを記憶しておき、設定モードで前記データ端末装置からのＡＴコマンドを受信したときそのＡＴコマンドに含まれる前記判別設定情報を判別して前記複数の応答内容および応答タイミングの中から対応する応答内容および応答タイミングとを登録する登録手段と、通信モードで前記データ端末装置からのＡＴコマンドを受信したとき前記登録手段によって登録した応答内容および応答タイミングを用いて前記データ端末装置との間の通信を行う応答手段とを設けたことを特徴とするデータ通信装置。
【発明の詳細な説明】
【技術分野】
【０００１】
本発明は、データ端末装置からのＡＴコマンドに応答して所定の応答内容および応答タイミングを用いてデータ通信を行うデータ回線終端装置を有したデータ通信装置に関する。
【背景技術】
【０００２】
この種のデータ通信装置としては、図２に示すようにデータ端末装置（ＤＴＥ：Ｄａｔａ  Ｔｅｒｍｉｎａｌ  Ｅｑｕｉｐｍｅｎｔ）１にデータ回線終端装置（ＤＣＥ：Ｄａｔａ  Ｃｉｒｃｕｉｔ  ｔｅｒｍｉｎａｔｉｎｇ  Ｅｑｕｉｐｍｅｎｔ）７を接続し、データ端末装置１からＡＴコマンドを受信したデータ回線終端装置７では、所定の応答内容および応答タイミングを用いてデータ端末装置１との間の通信を可能にすると共に、無線ネットワーク１７との間の無線通信を確立し、データ端末装置１からサーバ１９へのデータ通信を行うようにしたものが知られている（例えば、特許文献１を参照）。
【０００３】
【特許文献１】特開２００６−２２２４９１号公報
【発明の開示】
【発明が解決しようとする課題】
【０００４】
しかしながら、従来のデータ通信装置においては、図６に示したようにメーカまたはソフトウェアバージョンの異なるデータ端末装置１ａ〜１ｃとデータ回線終端装置７ａ〜７ｃとを組み合わせて再構築することがあり、このような場合、データ回線終端装置７ａ〜７ｃはメーカまたはソフトウェアバージョン毎にＡＴコマンドに対する応答内容や応答タイミングが異なるために、組み合わせによっては図中点線で示すように正常にデータの授受が行えないことがあり、実線で示すような相性の良い組み合わせを選別しなければならず煩雑な作業が必要であった。
【０００５】
本発明の目的は、メーカまたはソフトウェアバージョンが異なる場合でもデータ回線終端装置でデータ端末装置に対応する応答内容および応答タイミングとすることができるようにしたデータ通信装置を提供する。
【課題を解決するための手段】
【０００６】
本発明は上記目的を達成するために、データ端末装置と、このデータ端末装置からのＡＴコマンドに対して所定の応答内容および応答タイミングを用いて通信を行うデータ回線終端装置間とを有して構成したデータ通信装置において、前記データ回線終端装置に、予め複数の前記データ端末装置に対応する判別設定情報と、これら各判別設定情報にそれぞれ対応する複数の応答内容および応答タイミングとを記憶しておき、設定モードで前記データ端末装置からのＡＴコマンドを受信したときそのＡＴコマンドに含まれる前記判別設定情報を判別して前記複数の応答内容および応答タイミングの中から対応する応答内容および応答タイミングとを登録する登録手段と、通信モードで前記データ端末装置からのＡＴコマンドを受信したとき前記登録手段によって登録した応答内容および応答タイミングを用いて前記データ端末装置との間の通信を行う応答手段とを設けたことを特徴とする。
【発明の効果】
【０００７】
本発明のデータ通信装置によれば、設定モードでのデータ端末装置からのＡＴコマンドをデータ回線終端装置が受信すると、登録手段は、この受信したＡＴコマンドの判別設定情報を参照し、予め記憶させた複数の応答内容および応答タイミングの中からこの判別設定情報に対応する応答内容および応答タイミングを抽出して登録するため、その後、通常の通信モードでＡＴコマンドを受信したとき応答手段は、この登録した応答内容および応答タイミングを用いるようになり、メーカまたはソフトウェアバージョンなどが異なるデータ端末装置およびデータ回線終端装置の組み合わせであっても、データ端末装置側を変更することなく、データ回線終端装置側でふさわしい応答内容および応答タイミングを用いることができるようになり、従来のように、これらの相違から正常にデータの授受が行えない状況を簡単な構成で解消することができる。
【発明を実施するための最良の形態】
【０００８】
以下、本発明の実施の形態を図面に基づいて説明する。
図２は、本発明の一実施の形態によるデータ通信装置を示す概略構成図である。
例えば、自動販売機などによって構成したデータ端末装置１（ＤＴＥ：Ｄａｔａ  Ｔｅｒｍｉｎａｌ  Ｅｑｕｉｐｍｅｎｔ）には、このデータ端末装置１等との間で送受信する信号を通信回線に適した信号に変換する機能を有するデータ回線終端装置７（ＤＣＥ：Ｄａｔａ  Ｃｉｒｃｕｉｔ  ｔｅｒｍｉｎａｔｉｎｇ  Ｅｑｕｉｐｍｅｎｔ）が接続されている。このデータ回線終端装置９は無線を介して無線ネットワーク１７と接続可能であり、この無線ネットワーク１７には光ファイバなどを使用してデータの送受信を行うＬＡＮ回線１８を介してサーバ１９が接続されている。
【０００９】
図１は、上述したデータ端末装置１とデータ回線終端装置７を示すブロック構成図である。
データ端末装置１は、制御部２を有し、この制御部２には、表示部３、記憶部４、操作部５および入出力部６が接続されている。またデータ回線終端装置７は、制御部８を有しており、この制御部８には、記憶部９、表示部１０、操作部１１、入出力部１２、送信部１３および受信部１４が接続されており、さらにメーカやバージョン毎に異なるデータ端末装置１からのコマンド、例えばモデムやターミナルアダプタの制御に使われるコマンド体系の一つであるＡＴコマンドに含まれる複数の判別設定情報ｎと、これにそれぞれ対応する複数の応答内容および応答タイミングをそれぞれ予め書き込んだ不揮発性メモリや他の手段によって構成した記憶手段１６が接続されている。送信部１３および受信部１４に接続されたアンテナ１５は、図２に示した無線ネットワーク１７との間を無線で接続してデータの送受信を行うものである。データ回線終端装置７の入出力部１２とデータ端末装置１の入出力部６との間はＲＳ−２３２Ｃ等のケーブルによって接続されており、それぞれの入出力部６，１２を経由してデータの送受信が行われるように構成されている。
【００１０】
前述したように従来のデータ通信装置では、メーカやソフトウェアのバージョンが異なるデータ端末装置１とデータ回線終端装置７を組み合わせて使用したい場合があるが、単純な組み合わせによる使用では、データ回線終端装置７の応答内容および応答タイミングの相違による通信異常が発生する可能性がある。しかし、このような場合でもデータ端末装置１の構成およびソフトウェアを変更することなく対応可能にするために、図１に示したデータ回線終端装置７には、予め組み合わせが想定される範囲で、メーカやソフトウェアのバージョンの異なるデータ端末装置１毎にＡＴコマンドに含まれる複数の判別設定情報ｎと、これにそれぞれ対応する複数の応答内容および応答タイミングを予め書き込んだ記憶手段１６を接続している。
【００１１】
ここで応答内容とは、データ端末装置１から送信されたコマンドに対してデータ回線終端装置７が応答送信するもので、例えば「ＯＫ」、「ＥＲＲＯＲ」、「ＮＯ  ＣＡＲＲＩＥＲ」などが使用され、データ端末装置１から送信される複数のコマンドに対してデータ回線終端装置７の動作状態（発信中、着信中、無線接続中など）によって応答内容がそれぞれ選択されて変わることになる。また応答タイミングとは、データ回線終端装置７がデータ端末装置１から受信したコマンドに対して応答内容を送信するまでの時間のことである。
【００１２】
また上述したデータ回線終端装置７は、データ端末装置１から設定モードでＡＴコマンドを受信したことを検出する設定モード検出手段と、この設定モード検出手段によるＡＴコマンドの検出があった場合、そのＡＴコマンド、例えば、ＡＴ＊ＭＯＤＥ＝ｎを受信したときの判別設定情報ｎ（ｎ：メー力判別用フラグ）を記憶手段１６内に書き込んで、予め記憶した複数の応答内容および応答タイミングの中からこの判別設定情報ｎに対応する応答内容および応答タイミングを選んで登録する登録手段とを有している。さらにデータ回線終端装置７は、データ端末装置１から通常の通信モードでＡＴコマンドを受信したことを検出する通信モード検出手段と、こ通信モードの検出手段によるＡＴコマンドの検出があった場合、上述の登録手段によって既に登録された応答内容および応答タイミングを抽出して用いてデータ端末装置１との間でデータ授受を行う応答手段とをプログラムによって構成している。
【００１３】
先ず、通常の通信モードによる運転に先立って、データ端末装置１から設定モードでＡＴコマンドをデータ回線終端装置７へ送信する。すると、図４のフローチャートに示すようにデータ回線終端装置７では、ステップＳ１で設定モード検出手段によってＡＴコマンドを検出し、ステップＳ２で登録手段は、例えば、ＡＴ＊ＭＯＤＥ＝ｎを受信したとき、それに含まれた判別設定情報ｎを記憶手段１６内に書き込み、この書き込まれた判別設定情報ｎによって、予め記憶手段１６に記憶した複数の応答内容および応答タイミングの中からこの判別設定情報ｎに対応する応答内容および応答タイミングを抽出して登録する。これによって設定処理が完了する。
【００１４】
その後、データ端末装置１が通常の通信モードに切り替えられて、データ端末装置１からサーバ１９へデータを送信する場合、先ず、データ端末装置１の入出力部６からデータ回線終端装置７の入出力部１２へＡＴコマンドが送信される。これを受信したデータ回線終端装置７は、図５に示したフローチャートのように応答動作する。先ず、ステップＳ３で通信モード検出手段はデータ端末装置１からのＡＴコマンドを受信したことを検出すると、先に登録手段によって判別設定情報ｎに基づいて記憶手段１６内に記憶している複数のデータの中からデータ端末装置１に対応する応答内容および応答タイミングが登録されているため、ステップＳ４で応答手段はこの登録されたデータ端末装置１に対応する応答内容および応答タイミングを抽出することになる。次いでステップＳ５で応答手段は、この抽出した応答内容および応答タイミングを用いてデータ端末装置１との間で通信を行うことになる。従って、メーカやソフトウェアのバージョンが異なるデータ端末装置１とデータ回線終端装置７が組み合わされていても、データ端末装置１に対応するふさわしい応答内容および応答タイミングが用いられることになり、従来のような応答内容および応答タイミングの相違による通信異常が発生することはない。
【００１５】
従って、図３に示したように異なるメーカのデータ端末装置１ａ〜１ｃのうちの１台をデータ回線終端装置７に接続しようとする場合でも、通信異常の問題は回避される。つまり、Ａ社製のデータ端末装置１ａを用いた場合でも、設定モードでのＡＴコマンドをデータ回線終端装置７に送信すると、データ回線終端装置７の登録手段はＡ社製のデータ端末装置１ａのＡＴコマンド、ＡＴ＊ＭＯＤＥ＝ｎにおける判別設定情報ｎ＝１を読み込み、複数の応答内容および応答タイミングを予め記憶した記憶手段１６からこの判別設定情報ｎ＝１に対応する応答内容および応答タイミングを呼び出し登録する。その後、通常の通信モードでデータ回線終端装置７にＡＴコマンドが入力されると、データ回線終端装置７の応答手段は登録手段によって既に登録された応答内容および応答タイミングを用いてＡ社製のデータ端末装置１ａとの間で通信を行うことができるようになる。
【００１６】
また、Ｂ社製のデータ端末装置１ｂを用いた場合でも、設定モードでのＡＴコマンドをデータ回線終端装置７に送信すると、データ回線終端装置７の登録手段はＢ社製のデータ端末装置１ｂのＡＴコマンド、ＡＴ＊ＭＯＤＥ＝ｎにおける判別設定情報ｎ＝２を読み込み、複数の応答内容および応答タイミングを予め記憶した記憶手段１６からこの判別設定情報ｎ＝２に対応する応答内容および応答タイミングを呼び出し登録する。その後、通常の通信モードでデータ回線終端装置７にＡＴコマンドが入力されると、データ回線終端装置７の応答手段は登録手段によって既に登録された応答内容および応答タイミングを用いてＢ社製のデータ端末装置１ｂとの間で通信を行うことができるようになる。
【００１７】
同様に、Ｃ社製のデータ端末装置１ｃを用いた場合でも、設定モードでのＡＴコマンドをデータ回線終端装置７に送信すると、データ回線終端装置７の登録手段はＣ社製のデータ端末装置１ｃのＡＴコマンド、ＡＴ＊ＭＯＤＥ＝ｎにおける判別設定情報ｎ＝３を読み込み、複数の応答内容および応答タイミングを予め記憶した記憶手段１６からこの判別設定情報ｎ＝３に対応する応答内容および応答タイミングを呼び出し登録する。その後、通常の通信モードでデータ回線終端装置７にＡＴコマンドが入力されると、データ回線終端装置７の応答手段は登録手段によって既に登録された応答内容および応答タイミングを用いてＣ社製のデータ端末装置１ｃとの間で通信を行うことができるようになる。
【００１８】
その後、データ回線終端装置７はこれまでと同様の方法により無線で無線ネットワーク１７に接続され、データ端末装置１からサーバ１９にデータを送信することが可能になる。
【００１９】
図６に示したように各メーカのデータ端末装置１ａ〜１ｃと、各メーカのデータ回線終端装置７ａ〜７ｃとを組み合わせてデータ通信装置を構成する場合、従来は応答内容および応答タイミングの違いにより実線で示すように正しくデータ授受が行える組み合わせと、点線で示すように正しくデータ授受が行えない組み合わせがあることを識別する必要があったが、図１に示したデータ回線終端装置７を使用することにより、図３に示したように各メーカまたはソフトウェアバージョンに拘わらず共通の構成のデータ回線終端装置７を用いても、各メーカのデータ端末装置１ａ〜１ｃとの間で常に望ましい応答内容および応答タイミングを用いることができるようになる。
【００２０】
上述したデータ回線終端装置７を使用してデータ通信装置を構成すると、設定モードでデータ端末装置１からデータ回線終端装置７へＡＴコマンドを送信すると、データ回線終端装置７の登録手段は受信したＡＴコマンドの判別設定情報を参照し、記憶手段１６に予め記憶した情報の中からこの設定情報に対応する応答内容および応答タイミングを抽出して登録し、その後、通常の通信モードでのデータ回線終端装置７の応答手段は、この登録した応答内容および応答タイミングを用いるようになり、従来のようにデータ端末装置１とデータ回線終端装置７との間での応答内容および応答タイミングの相違から正常にデータの授受が行えない状況を比較的簡単な構成で解消することができる。従って、異なるデータ端末装置１とデータ回線終端装置７の組み合わせであっても、データ端末装置１側は従来のようにその都度、データ回線終端装置７に合わせてインタフェースや、その他の構成およびソフトウェアを変えることなく、共通のデータ回線終端装置７を使用して、データ回線終端装置７のハードウェアおよびソフトウエアの入れ替えを行うことなく対応できるようになる。
【産業上の利用可能性】
【００２１】
本発明によるデータ通信装置は、図１に示した構成に限らず他の構成のものにも適用することができる。
【図面の簡単な説明】
【００２２】
【図１】本発明の一実施の形態によるデータ通信装置における要部を示すブロック構成図である。
【図２】本発明の一実施の形態によるデータ通信装置を示す概略構成図である。
【図３】図２に示したデータ通信装置におけるデータ端末装置とデータ回線終端装置間の接続例を示す概略構成図である。
【図４】図１に示したデータ回線終端装置における設定モードでの動作を示すフローチャートである。
【図５】図１に示したデータ回線終端装置における通信モードでの動作を示すフローチャートである。
【図６】従来のデータ通信装置におけるデータ端末装置とデータ回線終端装置間の接続例を示す概略構成図である。
【符号の説明】
【００２３】
１    データ端末装置
２    制御部
６    入出力部
７    データ回線終端装置
８    制御部
１２    入出力部
１６    記憶手段
【図１】
2008258712.tif 000003
【図２】
2008258712.tif 000004
【図３】
2008258712.tif 000005
【図４】
2008258712.tif 000006
【図５】
2008258712.tif 000007
【図６】
2008258712.tif 000008